(57)【特許請求の範囲】
【請求項１】
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成され、
前記基地局装置を識別するための基地局識別情報と、当該基地局装置を介して提供可能なアプリケーション・サービスを識別するための提供可能サービス識別情報と、を対応付けて記憶する提供可能サービス識別情報記憶手段と、
前記移動局装置と前記基地局装置との間の通信品質を表す通信品質値が予め設定された閾値以下であるときに当該基地局装置から送信された前記移動局装置に対するハンドオーバ処理の実行を要求するハンドオーバ処理要求を受け付けた場合、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定手段と、
前記ハンドオーバ先の基地局装置を介した前記移動局装置への前記アプリケーション・サービスの提供を継続可能であると判定された場合に前記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止するハンドオーバ処理実行制御手段と、
を備え、
前記ハンドオーバ処理実行制御手段は、前記ハンドオーバ処理要求が、前記移動局装置と前記基地局装置との間の通信品質を表す通信品質値が前記予め設定された閾値よりも小さい下限閾値以下であるときに含められる前記アプリケーション・サービスの提供の継続の可否に基づく制御が不要である旨を表す制御不要情報を含む場合、前記ハンドオーバ処理の実行を許可する、
サービス提供システム。
【請求項２】
請求項１に記載のサービス提供システムであって、
前記提供可能サービス識別情報記憶手段は、
前記基地局装置を識別するための基地局識別情報と、当該基地局装置と前記移動局装置との間の通信方式を識別するための通信方式識別情報と、を対応付けて記憶するとともに、
前記基地局装置と前記移動局装置との間の通信方式を識別するための通信方式識別情報と、当該通信方式を用いて提供可能なアプリケーション・サービスを識別するためのサービス識別情報と、を対応付けて記憶するように構成されたサービス提供システム。
【請求項３】
請求項１又は２に記載のサービス提供システムであって、
前記アプリケーション・サービスの提供の開始を要求するサービス開始要求が受け付けられた場合、前記移動局装置との間で通信を行うためのセッションを確立するセッション確立手段と、
前記セッションが確立された場合、当該セッションに係る前記移動局装置を識別するための移動局識別情報と、当該セッションに係る前記アプリケーション・サービスを識別するためのサービス識別情報と、を対応付けて記憶する記憶処理手段と、
を備え、
前記サービス提供継続判定手段は、前記ハンドオーバ処理要求の対象となる前記移動局装置を識別するための移動局識別情報と対応付けて記憶されているサービス識別情報を、当該移動局装置へ現時点にて提供されているアプリケーション・サービスを識別するための前記提供中サービス識別情報として、取得するように構成されたサービス提供システム。
【請求項４】
請求項１又は２に記載のサービス提供システムであって、
前記アプリケーション・サービスの提供の開始を要求するサービス開始要求が受け付けられた場合、前記移動局装置との間で通信を行うためのセッションを確立するセッション確立手段と、
前記セッションが確立された場合、当該セッションに係る前記移動局装置を識別するための移動局識別情報と、当該セッションに係る前記アプリケーション・サービスを識別するためのサービス識別情報と同一の前記提供可能サービス識別情報と対応付けて記憶されている前記基地局識別情報と、を対応付けて記憶する記憶処理手段と、
を備え、
前記サービス提供継続判定手段は、前記ハンドオーバ処理要求の対象となる前記移動局装置を識別するための移動局識別情報と対応付けて記憶されている基地局識別情報により識別される基地局装置が、前記ハンドオーバ先の基地局装置を含む場合、当該ハンドオーバ先の基地局装置を介した当該移動局装置への前記アプリケーション・サービスの提供を継続可能であると判定するように構成されたサービス提供システム。
【請求項５】
請求項３又は４に記載のサービス提供システムであって、
前記セッション確立手段は、ＳＩＰ（Ｓｅｓｓｉｏｎ  Ｉｎｉｔｉａｔｉｏｎ  Ｐｒｏｔｏｃｏｌ）を用いて前記セッションを確立するように構成されたサービス提供システム。
【請求項６】
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成されたサービス提供システムに適用され、
前記移動局装置と前記基地局装置との間の通信品質を表す通信品質値が予め設定された閾値以下であるときに当該基地局装置から送信された前記移動局装置に対するハンドオーバ処理の実行を要求するハンドオーバ処理要求を受け付けた場合、前記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定し、
前記ハンドオーバ先の基地局装置を介した前記移動局装置への前記アプリケーション・サービスの提供を継続可能であると判定された場合に前記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止すると共に、前記ハンドオーバ処理要求が、前記移動局装置と前記基地局装置との間の通信品質を表す通信品質値が前記予め設定された閾値よりも小さい下限閾値以下であるときに含められる前記アプリケーション・サービスの提供の継続の可否に基づく制御が不要である旨を表す制御不要情報を含む場合、前記ハンドオーバ処理の実行を許可する、
サービス提供方法。
【発明の詳細な説明】
【技術分野】
【０００１】
本発明は、移動局装置へアプリケーション・サービスを提供するサービス提供システムに関する。
【背景技術】
【０００２】
移動体通信システムの国際標準化機関である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）においては、ＩＰ（Ｉｎｔｅｒｎｅｔ  Ｐｒｏｔｏｃｏｌ）基盤上でマルチメディア・サービスを提供する技術として、ＩＭＳ（ＩＰ  Ｍｕｌｔｉｍｅｄｉａ  Ｓｕｂｓｙｓｔｅｍ）の標準化が進められている。
【０００３】
ＩＭＳを導入することにより、音声通信、インスタント・メッセンジャー（ＩＭ；Ｉｎｓｔａｎｔ  Ｍｅｓｓｅｎｇｅｒ）、及び、コンテンツのダウンロード等の、複数のアプリケーション・サービスを、同一の移動局装置（ユーザ端末）へ同時に提供することが可能となる。
【０００４】
ＩＭＳにおいては、これらのアプリケーション・サービスに係るセッションを管理するための技術として、ＳＩＰ（Ｓｅｓｓｉｏｎ  Ｉｎｉｔｉａｔｉｏｎ  Ｐｒｏｔｏｃｏｌ）が用いられている。セッションは、アプリケーション・サービスを提供するための情報の送受信を行うために確立される。例えば、ＩＭＳを用いたサービス提供システムとして、特許文献１に記載のサービス提供システムが知られている。
【先行技術文献】
【特許文献】
【０００５】
【特許文献１】特開２００９−２２５２１７号公報
【発明の概要】
【発明が解決しようとする課題】
【０００６】
ところで、移動体通信システムは、セル方式を用いて、移動局装置と基地局装置との間で通信を行うことが多い。従って、移動体通信システムは、互いに隣接する基地局装置間でハンドオーバ処理を実行する。これにより、移動局装置の通信相手となる基地局装置は変化する。
【０００７】
また、移動局装置と基地局装置との間の通信網である無線アクセスネットワーク（ＲＡＮ；Ｒａｄｉｏ  Ａｃｃｅｓｓ  Ｎｅｔｗｏｒｋ）は、３Ｇ（Ｔｈｉｒｄ  Ｇｅｎｅｒａｔｉｏｎ）から、３．５Ｇ、３．９Ｇ、及び、４Ｇへ、順次、通信方式が移行される。また、無線アクセスネットワークとしてＷＬＡＮ（Ｗｉｒｅｌｅｓｓ  Ｌｏｃａｌ  Ａｒｅａ  Ｎｅｔｗｏｒｋ）が用いられることもある。即ち、基地局装置毎に、利用可能な通信方式が異なる場合がある。
【０００８】
また、アプリケーション・サービス毎に、当該アプリケーション・サービスを提供するための情報を送受信可能な通信方式が異なる場合がある。例えば、音声通信を行うためのアプリケーション・サービスが、３Ｇ、３．５Ｇ、又は、ＷＬＡＮを用いて提供可能であり、且つ、ＩＭを実現するためのアプリケーション・サービスが、３Ｇを用いて提供可能である、という状況が想定される。
【０００９】
従って、上記サービス提供システムを移動体通信システムに適用した場合において、ハンドオーバ処理が実行された場合、ハンドオーバ元の基地局装置にて利用可能な通信方式と、ハンドオーバ先の基地局装置にて利用可能な通信方式と、が異なることがある。
【００１０】
このような場合、上記サービス提供システムは、ハンドオーバ処理を実行した後に、ハンドオーバ先の基地局装置を介した移動局装置へのアプリケーション・サービスの提供を継続することができない虞がある。即ち、上記サービス提供システムにおいては、移動局装置へのアプリケーション・サービスの提供が中断される場合が生じるという問題があった。
【００１１】
このため、本発明の目的は、上述した課題である「移動局装置へのアプリケーション・サービスの提供が中断される場合が生じること」を解決することが可能なサービス提供システムを提供することにある。
【課題を解決するための手段】
【００１２】
かかる目的を達成するため本発明の一形態であるサービス提供システムは、
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成され、
上記基地局装置を識別するための基地局識別情報と、当該基地局装置を介して提供可能なアプリケーション・サービスを識別するための提供可能サービス識別情報と、を対応付けて記憶する提供可能サービス識別情報記憶手段と、
上記移動局装置に対するハンドオーバ処理の実行を要求するハンドオーバ処理要求を上記基地局装置から受け付けた場合、ハンドオーバ先の基地局装置を識別するための基地局識別情報と対応付けて記憶されている上記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定手段と、
上記ハンドオーバ先の基地局装置を介した上記移動局装置への上記アプリケーション・サービスの提供を継続可能であると判定された場合に上記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止するハンドオーバ処理実行制御手段と、
を備える。
【００１３】
また、本発明の他の形態であるサービス提供方法は、
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成されたサービス提供システムに適用され、
上記移動局装置に対するハンドオーバ処理の実行を要求するハンドオーバ処理要求を上記基地局装置から受け付けた場合、上記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている上記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定し、
上記ハンドオーバ先の基地局装置を介した上記移動局装置への上記アプリケーション・サービスの提供を継続可能であると判定された場合に上記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止する方法である。
【００１４】
また、本発明の他の形態であるサービス提供継続判定装置は、
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成され、
上記移動局装置に対するハンドオーバ処理の実行を要求するハンドオーバ処理要求を上記基地局装置から受け付けた場合、上記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている上記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するように構成される。
【００１５】
また、本発明の他の形態であるプログラムは、
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成された情報処理装置に、
上記移動局装置に対するハンドオーバ処理の実行を要求するハンドオーバ処理要求を上記基地局装置から受け付けた場合、上記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている上記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定手段を実現させるためのプログラムである。
【発明の効果】
【００１６】
本発明は、以上のように構成されることにより、移動局装置へのアプリケーション・サービスの提供が中断されることを防止することができる。
【図面の簡単な説明】
【００１７】
【図１】本発明の第１実施形態に係る移動体通信システムの概略構成を表す図である。
【図２】本発明の第１実施形態に係るサービス提供システムの機能の概略を表すブロック図である。
【図３】本発明の第１実施形態に係るアプリケーション・サーバが記憶する、基地局識別情報と通信方式識別情報とを対応付けたテーブルを示した図である。
【図４】本発明の第１実施形態に係るアプリケーション・サーバが記憶する、サービス識別情報と通信方式識別情報とを対応付けたテーブルを示した図である。
【図５】本発明の第１実施形態の変形例に係るアプリケーション・サーバが記憶する、基地局識別情報と提供可能サービス識別情報とを対応付けたテーブルを示した図である。
【図６】本発明の第１実施形態に係るアプリケーション・サーバが記憶する、移動局識別情報とサービス識別情報とを対応付けたテーブルを示した図である。
【図７】本発明の第１実施形態に係るサービス提供システムの作動を示したシーケンス図である。
【図８】本発明の第１実施形態に係るサービス提供システムの作動を示したシーケンス図である。
【図９】本発明の第１実施形態に係るサービス提供システムの作動を示したシーケンス図である。
【図１０】本発明の第２実施形態に係るアプリケーション・サーバが記憶する、移動局識別情報と基地局識別情報とを対応付けたテーブルを示した図である。
【図１１】本発明の第３実施形態に係るサービス提供システムの機能の概略を表すブロック図である。
【発明を実施するための形態】
【００１８】
以下、本発明に係る、サービス提供システム、サービス提供方法、サービス提供継続判定装置、及び、プログラム、の各実施形態について図１〜図１１を参照しながら説明する。
【００１９】
＜第１実施形態＞
（構成）
図１に示したように、第１実施形態に係る移動体通信システム１は、複数の移動局装置１０，…と、アプリケーション・サーバ２０と、ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ）コアシステム３０と、コアネットワークシステム４０と、複数の基地局装置５１，５２，…と、を含む。なお、アプリケーション・サーバ２０、ＩＭＳコアシステム３０及びコアネットワークシステム４０は、サービス提供システムを構成している。
【００２０】
各移動局装置１０，…は、携帯電話機である。各移動局装置１０，…は、ユーザ端末（３ＧＰＰにおけるＵＥ（Ｕｓｅｒ  Ｅｑｕｉｐｍｅｎｔ）に相当する）とも呼ばれる。なお、各移動局装置１０，…は、パーソナル・コンピュータ、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、又は、ゲーム端末等であってもよい。
【００２１】
各基地局装置５１，５２，…は、セル方式を用いて移動局装置１０，…との間で無線通信可能に接続される。本例では、基地局装置５１は、通信方式としての３．９Ｇ（ＬＴＥ；Ｌｏｎｇ  Ｔｅｒｍ  Ｅｖｏｌｕｔｉｏｎ）における、Ｅ−ＵＴＲＡＮ（Ｅｖｏｌｖｅｄ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋ）を構成している。また、基地局装置５２は、通信方式としての３Ｇにおける、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）を構成している。
【００２２】
各移動局装置１０，…は、基地局装置５１，５２，…と無線通信可能に接続されている場合、当該移動局装置１０，…と当該基地局装置５１，５２，…との間の通信の品質（通信品質）を表す通信品質値を、予め設定された検出周期が経過する毎に、当該基地局装置５１，５２，…へ送信する。
【００２３】
各基地局装置５１，５２，…は、通信品質値を受信した場合、当該受信された通信品質値が、予め設定された閾値以下であるか否かを判定する。各基地局装置５１，５２，…は、受信された通信品質値が、上記閾値以下であると判定した場合、当該通信品質値を送信してきた移動局装置１０，…をハンドオーバ処理の対象としたハンドオーバ処理要求をコアネットワークシステム４０へ送信する。
【００２４】
即ち、各基地局装置５１，５２，…は、無線通信可能に接続されている移動局装置１０，…との間の通信品質を表す通信品質値が、予め設定された閾値以下となった場合、ハンドオーバ処理要求をコアネットワークシステム４０へ送信する。
【００２５】
ハンドオーバ処理要求は、移動局装置１０，…に対するハンドオーバ処理の実行を要求する旨を表す情報である。本例では、ハンドオーバ処理要求は、ハンドオーバ先の基地局装置を識別するための基地局識別情報を含む。ハンドオーバ処理は、移動局装置１０，…と無線通信可能に接続されている基地局装置５１，５２，…を切り替える（変更する）処理である。
【００２６】
各基地局装置５１，５２，…は、ハンドオーバ処理要求に応じてハンドオーバ処理許可情報を受信した場合、ハンドオーバ処理を実行する。ハンドオーバ処理許可情報は、ハンドオーバ処理の実行を許可する旨を表す情報である。一方、各基地局装置５１，５２，…は、ハンドオーバ処理要求に応じてハンドオーバ処理禁止情報を受信した場合、ハンドオーバ処理を実行しない。ハンドオーバ処理禁止情報は、ハンドオーバ処理の実行を禁止する旨を表す情報である。
【００２７】
コアネットワークシステム４０は、通信回線ＮＷを介して、複数の基地局装置５１，５２，…のそれぞれと通信可能に接続されている。
【００２８】
コアネットワークシステム４０は、３Ｇにおける、ＭＳＣ（Ｍｏｂｉｌｅ  Ｓｅｒｖｉｃｅｓ  Ｓｗｉｔｃｈｉｎｇ  Ｃｅｎｔｅｒ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）、及び、ＨＬＲ（Ｈｏｍｅ  Ｌｏｃａｔｉｏｎ  Ｒｅｇｉｓｔｅｒ）等を含む。
【００２９】
更に、コアネットワークシステム４０は、３．９ＧとしてのＬＴＥにおける、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ  Ｇａｔｅｗａｙ）、Ｐ−ＧＷ（Ｐａｃｋｅｔ  Ｄａｔａ  Ｎｏｄｅ  Ｇａｔｅｗａｙ）、ＨＳＳ（Ｈｏｍｅ  Ｓｕｂｓｃｒｉｂｅｒ  Ｓｅｒｖｅｒ）、及び、ＰＣＲＦ（Ｐｏｌｉｃｙ  ａｎｄ  Ｃｈａｒｇｉｎｇ  Ｒｕｌｅｓ  Ｆｕｎｃｔｉｏｎ）等を含む。
【００３０】
ＩＭＳコアシステム３０は、ＩＭＳにおける、セッション制御を行う機能部である。ＩＭＳコアシステム３０は、Ｐ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）、及び、Ｓ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）等を含む。
【００３１】
アプリケーション・サーバ２０は、ＩＭＳ−ＡＳ（ＩＭＳにおけるアプリケーション・サーバに相当する）とも呼ばれる。アプリケーション・サーバ２０と、コアネットワークシステム４０と、は、ＩＭＳコアシステム３０を介して通信可能に接続されている。
【００３２】
このような構成により、サービス提供システムは、基地局装置５１，５２，…と無線通信可能に接続された移動局装置１０，…との間で、当該移動局装置１０，…へアプリケーション・サービスを提供するための情報を送受信する。
【００３３】
また、アプリケーション・サーバ２０、ＩＭＳコアシステム３０、及び、コアネットワークシステム４０のそれぞれは、中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える情報処理装置を含む。
【００３４】
アプリケーション・サーバ２０、ＩＭＳコアシステム３０、及び、コアネットワークシステム４０のそれぞれは、情報処理装置が備える記憶装置に記憶されているプログラムを、当該情報処理装置が備えるＣＰＵが実行することにより、後述する機能を実現するように構成されている。
【００３５】
（機能）
図２は、上記のように構成されたサービス提供システムの機能を表すブロック図である。
アプリケーション・サーバ２０の機能は、提供可能サービス識別情報記憶部（提供可能サービス識別情報記憶手段）２１と、アプリケーション・サービス情報処理部（記憶処理手段）２２と、を含む。
【００３６】
ＩＭＳコアシステム３０の機能は、セッション確立部（セッション確立手段）３１を含む。
コアネットワークシステム４０の機能は、ベアラ確立部４１と、サービス提供継続判定部（サービス提供継続判定手段）４２と、ハンドオーバ処理実行制御部（ハンドオーバ処理実行制御手段）４３と、を含む。なお、サービス提供継続判定部４２の機能を有する情報処理装置は、サービス提供継続判定装置を構成している。
【００３７】
提供可能サービス識別情報記憶部２１は、基地局装置を識別するための基地局識別情報と、当該基地局装置を介して提供可能なアプリケーション・サービスを識別するための提供可能サービス識別情報と、を対応付けて記憶する。
【００３８】
本例では、提供可能サービス識別情報記憶部２１は、図３に示したように、基地局装置を識別するための基地局識別情報と、当該基地局装置と移動局装置との間の通信方式を識別するための通信方式識別情報と、を対応付けたテーブルを記憶する。
【００３９】
更に、提供可能サービス識別情報記憶部２１は、図４に示したように、基地局装置と移動局装置との間の通信方式を識別するための通信方式識別情報と、当該通信方式を用いて提供可能なアプリケーション・サービスを識別するためのサービス識別情報と、を対応付けたテーブルを記憶する。
【００４０】
即ち、図３に示したテーブルにて、基地局識別情報と対応付けられた通信方式識別情報と、図４に示したテーブルにて対応付けられているサービス識別情報は、当該基地局識別情報により識別される基地局装置を介して提供可能なアプリケーション・サービスを識別するための提供可能サービス識別情報に対応している。
【００４１】
提供可能サービス識別情報記憶部２１は、図３及び図４に示した情報として、ユーザにより入力された情報を記憶するように構成されていてもよいし、ユーザにより入力された情報を他の装置から受信し、当該受信した情報を記憶するように構成されていてもよい。
【００４２】
なお、提供可能サービス識別情報記憶部２１は、図３及び図４に示したテーブルに代えて、図５に示したように、基地局装置を識別するための基地局識別情報と、当該基地局装置を介して提供可能なアプリケーション・サービスを識別するための提供可能サービス識別情報と、を対応付けたテーブルを記憶するように構成されていてもよい。
【００４３】
アプリケーション・サービス情報処理部２２は、ＰｏＣ（Ｐｕｓｈ  Ｔｏ  Ｔａｌｋ  Ｏｖｅｒ  Ｃｅｌｌａｒ）、ＩＭ（Ｉｎｓｔａｎｔ  Ｍｅｓｓａｇｉｎｇ、又は、Ｉｎｓｔａｎｔ  Ｍｅｓｓａｇｅｒ）、会議サービス、及び、ビデオ配信等のアプリケーション・サービス（マルチメディア・サービス）を提供するための情報を送受信する。
【００４４】
アプリケーション・サービス情報処理部２２は、サービス開始要求を受け付ける。サービス開始要求は、アプリケーション・サービスを識別するためのサービス識別情報を含み、当該アプリケーション・サービスの開始を要求する旨を表す情報である。
【００４５】
アプリケーション・サービス情報処理部２２は、移動局装置１０，…からサービス開始要求を受信し、受信したサービス開始要求を受け付けるように構成されていてもよい。また、アプリケーション・サービス情報処理部２２は、他の装置（例えば、ＩＭＳの外部からアプリケーション・サーバ２０を利用するシステム等）からサービス開始要求を受信し、受信したサービス開始要求を受け付けるように構成されていてもよい。
【００４６】
アプリケーション・サービス情報処理部２２は、サービス開始要求を受け付けると、セッション確立要求をＩＭＳコアシステム３０へ送信する。セッション確立要求は、アプリケーション・サービスを提供するための情報を送受信するために用いられる通信路としてのセッションの確立を要求する旨を表す情報である。
【００４７】
アプリケーション・サービス情報処理部２２は、セッション確立要求に基づいて、アプリケーション・サーバ２０と移動局装置１０，…との間のセッションが確立された場合、移動局識別情報と、サービス識別情報と、を対応付けて記憶する。これにより、アプリケーション・サービス情報処理部２２は、図６に示したように、移動局識別情報とサービス識別情報とを対応付けたテーブルを記憶する。
【００４８】
ここで、移動局識別情報は、当該セッションに係る（即ち、当該セッションを介してアプリケーション・サーバ２０と接続された）移動局装置１０，…を識別するための情報である。また、サービス識別情報は、当該セッションに係るアプリケーション・サービスを識別するための情報（即ち、当該セッション確立要求を送信する基となったサービス開始要求に含まれるサービス識別情報）である。
【００４９】
アプリケーション・サービス情報処理部２２は、予め設定された送信周期が経過する毎に、又は、提供可能サービス識別情報記憶部２１及びアプリケーション・サービス情報処理部２２に記憶されている情報が変化する毎に、図３、図４、及び、図６に示したテーブルをＩＭＳコアシステム３０を介してコアネットワークシステム４０へ送信する。
【００５０】
セッション確立部３１は、アプリケーション・サーバ２０からセッション確立要求を受信すると、ベアラ確立要求をコアネットワークシステム４０へ送信する。ベアラ確立要求は、移動局装置１０，…とＩＭＳコアシステム３０との間のベアラの確立を要求する旨を表す情報である。ベアラは、仮想的な通信コネクションである。
【００５１】
セッション確立部３１は、ベアラが確立された場合、セッションを確立するための処理（セッション確立処理）を行う。セッション確立部３１は、予め設定された通信プロトコル（本例では、ＳＩＰ（Ｓｅｓｓｉｏｎ  Ｉｎｉｔｉａｔｉｏｎ  Ｐｒｏｔｏｃｏｌ））に従ったメッセージを中継することにより、アプリケーション・サーバ２０と移動局装置１０，…との間のセッションを確立する。
【００５２】
ベアラ確立部４１は、ＩＭＳコアシステム３０からベアラ確立要求を受信すると、ベアラ確立要求に基づいて、ＩＭＳコアシステム３０と移動局装置１０，…との間のベアラを確立するための処理（ベアラ確立処理）を行う。
【００５３】
サービス提供継続判定部４２は、基地局装置５１，５２，…からハンドオーバ処理要求を受信する（受け付ける）。サービス提供継続判定部４２は、ハンドオーバ処理要求を受け付けた場合、ハンドオーバ処理要求に含まれる基地局識別情報により識別される基地局装置（即ち、ハンドオーバ先の基地局装置）５１，５２，…を介した移動局装置（即ち、ハンドオーバ処理要求の対象となる移動局装置）１０，…へのアプリケーション・サービスの提供を継続可能であるか否かを判定する。
【００５４】
具体的には、サービス提供継続判定部４２は、アプリケーション・サーバ２０から受信した、図３、図４、及び、図６に示したテーブルに基づいて上記判定を行う。
【００５５】
即ち、サービス提供継続判定部４２は、図６に示したテーブルにて、ハンドオーバ処理の対象となる移動局装置１０，…を識別するための移動局識別情報と対応付けて記憶されているサービス識別情報を、当該移動局装置１０，…へ現時点にて提供されているアプリケーション・サービスを識別するための提供中サービス識別情報として取得する。
【００５６】
更に、サービス提供継続判定部４２は、図３に示したテーブルにて、ハンドオーバ先の基地局装置を識別するための基地局識別情報と対応付けて記憶されている通信方式識別情報を取得する。次いで、サービス提供継続判定部４２は、図４に示したテーブルにて、上記取得された通信方式識別情報と対応付けて記憶されているサービス識別情報を、ハンドオーバ先の基地局装置を介して提供可能なアプリケーション・サービスを識別するための提供可能サービス識別情報として取得する。
【００５７】
そして、サービス提供継続判定部４２は、上記取得された提供可能サービス識別情報が、上記取得された提供中サービス識別情報を含むか否かを判定する。
【００５８】
サービス提供継続判定部４２は、提供可能サービス識別情報が提供中サービス識別情報を含むと判定することにより、ハンドオーバ先の基地局装置を介した移動局装置へのアプリケーション・サービスの提供を継続可能であると判定する。一方、サービス提供継続判定部４２は、提供可能サービス識別情報が提供中サービス識別情報を含まないと判定することにより、ハンドオーバ先の基地局装置を介した移動局装置へのアプリケーション・サービスの提供を継続不能であると判定する。
【００５９】
ハンドオーバ処理実行制御部４３は、ハンドオーバ先の基地局装置を介した移動局装置へのアプリケーション・サービスの提供を継続可能であるとサービス提供継続判定部４２により判定された場合、ハンドオーバ処理許可情報を、ハンドオーバ処理要求を送信してきた基地局装置５１，５２，…へ送信する。
【００６０】
一方、ハンドオーバ処理実行制御部４３は、ハンドオーバ先の基地局装置を介した移動局装置へのアプリケーション・サービスの提供を継続不能であるとサービス提供継続判定部４２により判定された場合、ハンドオーバ処理禁止情報を、ハンドオーバ処理要求を送信してきた基地局装置５１，５２，…へ送信する。
【００６１】
（作動）
次に、上述した移動体通信システム１の作動について図７〜図９を参照しながら説明する。なお、上述したように、アプリケーション・サーバ２０は、予め設定された送信周期が経過する毎に、又は、提供可能サービス識別情報記憶部２１及びアプリケーション・サービス情報処理部２２に記憶されている情報が変化する毎に、図３、図４、及び、図６に示したテーブルをＩＭＳコアシステム３０を介してコアネットワークシステム４０へ送信する。
【００６２】
ここでは、移動局装置１０と基地局装置５１とが無線通信可能に接続されている場合において、移動局装置１０がアプリケーション・サーバ２０へサービス識別情報を含むサービス開始要求を送信した場合を想定して説明を続ける。
【００６３】
アプリケーション・サーバ２０は、サービス開始要求を受信することにより当該サービス開始要求を受け付ける（図７のステップＳ１０１）。次いで、アプリケーション・サーバ２０は、セッション確立要求をＩＭＳコアシステム３０へ送信する（図７のステップＳ１０２）。
【００６４】
これにより、ＩＭＳコアシステム３０は、セッション確立要求を受信する。そして、ＩＭＳコアシステム３０は、ベアラ確立要求をコアネットワークシステム４０へ送信する（図７のステップＳ１０３）。
【００６５】
これにより、コアネットワークシステム４０は、ベアラ確立要求を受信する。そして、コアネットワークシステム４０は、ベアラ確立処理を実行する（図７のステップＳ１０４）。これにより、移動局装置１０とＩＭＳコアシステム３０との間でベアラが確立される（図７のステップＳ１０５）。
【００６６】
そして、ＩＭＳコアシステム３０は、ベアラが確立されると、セッション確立処理を実行する（図７のステップＳ１０６）。これにより、移動局装置１０とアプリケーション・サーバ２０との間でセッションが確立される（図７のステップＳ１０７）。
【００６７】
次いで、アプリケーション・サーバ２０は、セッションが確立されると、移動局装置１０を識別するための移動局識別情報と、サービス開始要求に含まれるサービス識別情報と、を対応付けて記憶装置に記憶する（図７のステップＳ１０８）。これにより、アプリケーション・サーバ２０は、新たに記憶した情報を含む、図６に示したテーブルをＩＭＳコアシステム３０を介してコアネットワークシステム４０へ送信する。
【００６８】
また、上述したように、移動局装置１０は、移動局装置１０と基地局装置５１との間の通信品質を表す通信品質値を、予め設定された検出周期が経過する毎に基地局装置５１へ送信する。そして、基地局装置５１は、通信品質値を受信した場合、当該受信された通信品質値が、予め設定された閾値以下であるか否かを判定する。
【００６９】
いま、移動局装置１０が移動したことにより、移動局装置１０と基地局装置５１との間の通信品質が低下した場合を想定して説明を続ける。この場合、移動局装置１０が通信品質値を基地局装置５１へ送信する（図８のステップＳ２０１）と、基地局装置５１は、受信された通信品質値が上記閾値以下であると判定する。
【００７０】
従って、基地局装置５１は、移動局装置１０をハンドオーバ処理の対象としたハンドオーバ処理要求をコアネットワークシステム４０へ送信する。
【００７１】
これにより、コアネットワークシステム４０は、ハンドオーバ処理要求を受信する。そして、コアネットワークシステム４０は、ハンドオーバ処理要求に含まれる基地局識別情報により識別される基地局装置（ここでは、ハンドオーバ先の基地局装置５２）を介した移動局装置（即ち、ハンドオーバ処理要求の対象となる移動局装置）１０へのアプリケーション・サービスの提供を継続可能であるか否かを判定する。
【００７２】
いま、提供可能サービス識別情報が提供中サービス識別情報を含む場合を想定する。この場合、コアネットワークシステム４０は、ハンドオーバ先の基地局装置５２を介した移動局装置１０へのアプリケーション・サービスの提供を継続可能であると判定する。
【００７３】
従って、コアネットワークシステム４０は、ハンドオーバ処理許可情報を、ハンドオーバ処理要求を送信してきた基地局装置５１へ送信する（図８のステップＳ２０３）。これにより、基地局装置５１は、ハンドオーバ処理を実行する（図８のステップＳ２０４）。その結果、移動局装置１０と無線通信可能に接続されている基地局装置は、基地局装置５１から基地局装置５２へ切り替わる。
【００７４】
一方、提供可能サービス識別情報が提供中サービス識別情報のすべてを含まない場合を想定する。この場合、コアネットワークシステム４０は、ハンドオーバ先の基地局装置５２を介した移動局装置１０へのアプリケーション・サービスの提供を継続不能であると判定する。
【００７５】
従って、コアネットワークシステム４０は、ハンドオーバ処理禁止情報を、ハンドオーバ処理要求を送信してきた基地局装置５１へ送信する（図９のステップＳ２０４）。この場合、基地局装置５１は、ハンドオーバ処理を実行しない。
【００７６】
以上、説明したように、本発明の第１実施形態に係るサービス提供システムによれば、サービス提供システムは、ハンドオーバ先の基地局装置５２を介した移動局装置１０へのアプリケーション・サービスの提供を継続可能な場合にのみ、ハンドオーバ処理の実行を許可する。これにより、移動局装置１０へのアプリケーション・サービスの提供が中断されることを確実に防止することができる。
【００７７】
なお、第１実施形態に係るサービス提供システムは、ハンドオーバ先の基地局装置を介した移動局装置へのアプリケーション・サービスの提供を継続可能であるか否かの判定を、コアネットワークシステム４０が行うように構成されていたが、アプリケーション・サーバ２０又はＩＭＳコアシステム３０が行うように構成されていてもよい。
【００７８】
また、第１実施形態に係るサービス提供システムは、図３に示したテーブル、及び、図４に示したテーブル、の両方をアプリケーション・サーバ２０が記憶するように構成されていたが、図３に示したテーブルをコアネットワークシステム４０が記憶するとともに、図４に示したテーブルをアプリケーション・サーバ２０又はＩＭＳコアシステム３０が記憶するように構成されていてもよい。
【００７９】
また、第１実施形態の変形例に係る移動体通信システム１において、各基地局装置５１，５２，…は、通信品質値が、上記閾値よりも小さい下限閾値以下である場合、制御不要情報を含むハンドオーバ処理要求をコアネットワークシステム４０へ送信するように構成される。制御不要情報は、アプリケーション・サービスの提供の継続の可否に基づく制御が不要である旨を表す情報である。
【００８０】
更に、この場合、コアネットワークシステム４０は、ハンドオーバ処理要求が制御不要情報を含む場合、ハンドオーバ先の基地局装置を介した移動局装置へのアプリケーション・サービスの提供を継続可能であるか否かにかかわらず、ハンドオーバ処理許可情報を基地局装置へ送信する。
これによれば、移動局装置１０，…と基地局装置５１，５２，…との間の通信品質が過度に低下することを防止することができる。
【００８１】
＜第２実施形態＞
次に、本発明の第２実施形態に係るサービス提供システムについて説明する。第２実施形態に係るサービス提供システムは、上記第１実施形態に係るサービス提供システムに対して、移動局装置と、当該移動局装置へ提供中のアプリケーション・サービスを継続して提供可能な基地局装置と、を対応付けた情報を記憶するように構成されている点において相違している。従って、以下、かかる相違点を中心として説明する。
【００８２】
第２実施形態に係るアプリケーション・サービス情報処理部２２は、セッション確立要求に基づいて、アプリケーション・サーバ２０と移動局装置１０，…との間のセッションが確立された場合、移動局識別情報と、基地局識別情報と、を対応付けて記憶する。これにより、アプリケーション・サービス情報処理部２２は、図１０に示したように、移動局識別情報と基地局識別情報とを対応付けたテーブルを図６に示したテーブルに代えて記憶する。
【００８３】
ここで、移動局識別情報は、当該セッションに係る（即ち、当該セッションを介してアプリケーション・サーバ２０と接続された）移動局装置１０，…を識別するための情報である。また、上記基地局識別情報は、当該セッションに係るアプリケーション・サービスを識別するためのサービス識別情報と同一の提供可能サービス識別情報と対応付けて提供可能サービス識別情報記憶部２１に記憶されている基地局識別情報である。
【００８４】
第２実施形態に係るアプリケーション・サービス情報処理部２２は、予め設定された送信周期が経過する毎に、又は、アプリケーション・サービス情報処理部２２に記憶されている情報が変化する毎に、図１０に示したテーブルをＩＭＳコアシステム３０を介してコアネットワークシステム４０へ送信する。
【００８５】
第２実施形態に係るサービス提供継続判定部４２は、アプリケーション・サーバ２０から受信した、図１０に示したテーブルに基づいて、ハンドオーバ先の基地局装置を介した移動局装置へのアプリケーション・サービスの提供を継続可能であるか否かの判定を行う。
【００８６】
即ち、サービス提供継続判定部４２は、図１０に示したテーブルにて、ハンドオーバ処理の対象となる移動局装置１０，…を識別するための移動局識別情報と対応付けて記憶されている基地局識別情報により識別される基地局装置が、ハンドオーバ先の基地局装置を含む場合、当該ハンドオーバ先の基地局装置を介した当該移動局装置へのアプリケーション・サービスの提供を継続可能であると判定する。
【００８７】
このように構成された、第２実施形態に係るサービス提供システムによっても、第１実施形態に係るサービス提供システムと同様の作用及び効果を奏することができる。
【００８８】
＜第３実施形態＞
次に、本発明の第３実施形態に係るサービス提供システムについて図１１を参照しながら説明する。
第３実施形態に係るサービス提供システム１００は、
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成される。
【００８９】
更に、サービス提供システム１００は、
上記基地局装置を識別するための基地局識別情報と、当該基地局装置を介して提供可能なアプリケーション・サービスを識別するための提供可能サービス識別情報と、を対応付けて記憶する提供可能サービス識別情報記憶部（提供可能サービス識別情報記憶手段）１０１と、
上記移動局装置に対するハンドオーバ処理の実行を要求するハンドオーバ処理要求を上記基地局装置から受け付けた場合、ハンドオーバ先の基地局装置を識別するための基地局識別情報と対応付けて記憶されている上記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定部（サービス提供継続判定手段）１０２と、
上記ハンドオーバ先の基地局装置を介した上記移動局装置への上記アプリケーション・サービスの提供を継続可能であると判定された場合に上記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止するハンドオーバ処理実行制御部（ハンドオーバ処理実行制御手段）１０３と、
を備える。
【００９０】
これによれば、サービス提供システム１００は、ハンドオーバ先の基地局装置を介した移動局装置へのアプリケーション・サービスの提供を継続可能な場合にのみ、ハンドオーバ処理の実行を許可する。これにより、移動局装置へのアプリケーション・サービスの提供が中断されることを確実に防止することができる。
【００９１】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９２】
なお、上記各実施形態において移動体通信システム１の各機能は、ＣＰＵがプログラム（ソフトウェア）を実行することにより実現されていたが、回路等のハードウェアにより実現されていてもよい。
【００９３】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００９４】
また、上記実施形態の他の変形例として、上述した実施形態及び変形例の任意の組み合わせが採用されてもよい。
【００９５】
＜付記＞
上記実施形態の一部又は全部は、以下の付記のように記載され得るが、以下には限られない。
【００９６】
（付記１）
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成され、
前記基地局装置を識別するための基地局識別情報と、当該基地局装置を介して提供可能なアプリケーション・サービスを識別するための提供可能サービス識別情報と、を対応付けて記憶する提供可能サービス識別情報記憶手段と、
前記移動局装置に対するハンドオーバ処理の実行を要求するハンドオーバ処理要求を前記基地局装置から受け付けた場合、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定手段と、
前記ハンドオーバ先の基地局装置を介した前記移動局装置への前記アプリケーション・サービスの提供を継続可能であると判定された場合に前記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止するハンドオーバ処理実行制御手段と、
を備えるサービス提供システム。
【００９７】
これによれば、サービス提供システムは、ハンドオーバ先の基地局装置を介した移動局装置へのアプリケーション・サービスの提供を継続可能な場合にのみ、ハンドオーバ処理の実行を許可する。これにより、移動局装置へのアプリケーション・サービスの提供が中断されることを確実に防止することができる。
【００９８】
（付記２）
付記１に記載のサービス提供システムであって、
前記ハンドオーバ処理実行制御手段は、前記ハンドオーバ処理要求が、前記アプリケーション・サービスの提供の継続の可否に基づく制御が不要である旨を表す制御不要情報を含む場合、前記ハンドオーバ処理の実行を許可するように構成されたサービス提供システム。
【００９９】
これによれば、例えば、移動局装置と基地局装置との間の通信品質がかなり低下した場合に、基地局装置が制御不要情報を含むハンドオーバ処理要求をサービス提供システムへ送信することにより、移動局装置と基地局装置との間の通信品質が過度に低下することを防止することができる。
【０１００】
（付記３）
付記１又は付記２に記載のサービス提供システムであって、
前記提供可能サービス識別情報記憶手段は、
前記基地局装置を識別するための基地局識別情報と、当該基地局装置と前記移動局装置との間の通信方式を識別するための通信方式識別情報と、を対応付けて記憶するとともに、
前記基地局装置と前記移動局装置との間の通信方式を識別するための通信方式識別情報と、当該通信方式を用いて提供可能なアプリケーション・サービスを識別するためのサービス識別情報と、を対応付けて記憶するように構成されたサービス提供システム。
【０１０１】
（付記４）
付記１乃至付記３のいずれか一項に記載のサービス提供システムであって、
前記アプリケーション・サービスの提供の開始を要求するサービス開始要求が受け付けられた場合、前記移動局装置との間で通信を行うためのセッションを確立するセッション確立手段と、
前記セッションが確立された場合、当該セッションに係る前記移動局装置を識別するための移動局識別情報と、当該セッションに係る前記アプリケーション・サービスを識別するためのサービス識別情報と、を対応付けて記憶する記憶処理手段と、
を備え、
前記サービス提供継続判定手段は、前記ハンドオーバ処理要求の対象となる前記移動局装置を識別するための移動局識別情報と対応付けて記憶されているサービス識別情報を、当該移動局装置へ現時点にて提供されているアプリケーション・サービスを識別するための前記提供中サービス識別情報として、取得するように構成されたサービス提供システム。
【０１０２】
（付記５）
付記１乃至付記３のいずれか一項に記載のサービス提供システムであって、
前記アプリケーション・サービスの提供の開始を要求するサービス開始要求が受け付けられた場合、前記移動局装置との間で通信を行うためのセッションを確立するセッション確立手段と、
前記セッションが確立された場合、当該セッションに係る前記移動局装置を識別するための移動局識別情報と、当該セッションに係る前記アプリケーション・サービスを識別するためのサービス識別情報と同一の前記提供可能サービス識別情報と対応付けて記憶されている前記基地局識別情報と、を対応付けて記憶する記憶処理手段と、
を備え、
前記サービス提供継続判定手段は、前記ハンドオーバ処理要求の対象となる前記移動局装置を識別するための移動局識別情報と対応付けて記憶されている基地局識別情報により識別される基地局装置が、前記ハンドオーバ先の基地局装置を含む場合、当該ハンドオーバ先の基地局装置を介した当該移動局装置への前記アプリケーション・サービスの提供を継続可能であると判定するように構成されたサービス提供システム。
【０１０３】
（付記６）
付記４又は付記５に記載のサービス提供システムであって、
前記セッション確立手段は、ＳＩＰ（Ｓｅｓｓｉｏｎ  Ｉｎｉｔｉａｔｉｏｎ  Ｐｒｏｔｏｃｏｌ）を用いて前記セッションを確立するように構成されたサービス提供システム。
【０１０４】
（付記７）
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成されたサービス提供システムに適用され、
前記移動局装置に対するハンドオーバ処理の実行を要求するハンドオーバ処理要求を前記基地局装置から受け付けた場合、前記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定し、
前記ハンドオーバ先の基地局装置を介した前記移動局装置への前記アプリケーション・サービスの提供を継続可能であると判定された場合に前記ハンドオーバ処理の実行を許可し、一方、当該ハンドオーバ先の基地局装置を介した当該移動局装置への当該アプリケーション・サービスの提供を継続不能であると判定された場合に当該ハンドオーバ処理の実行を禁止する、サービス提供方法。
【０１０５】
（付記８）
付記７に記載のサービス提供方法であって、
前記ハンドオーバ処理要求が、前記アプリケーション・サービスの提供の継続の可否に基づく制御が不要である旨を表す制御不要情報を含む場合、前記ハンドオーバ処理の実行を許可するように構成されたサービス提供方法。
【０１０６】
（付記９）
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成され、
前記移動局装置に対するハンドオーバ処理の実行を要求するハンドオーバ処理要求を前記基地局装置から受け付けた場合、前記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するように構成されたサービス提供継続判定装置。
【０１０７】
（付記１０）
複数の基地局装置と通信可能に接続されるとともに、セル方式を用いて当該基地局装置と無線通信可能に接続された移動局装置との間で当該移動局装置へアプリケーション・サービスを提供するための情報を送受信するように構成された情報処理装置に、
前記移動局装置に対するハンドオーバ処理の実行を要求するハンドオーバ処理要求を前記基地局装置から受け付けた場合、前記基地局装置を識別するための基地局識別情報と、当該基地局装置を介して提供可能なアプリケーション・サービスを識別するための提供可能サービス識別情報と、を対応付けて記憶する記憶装置に、ハンドオーバ先の基地局装置を識別するための基地局識別情報と対応付けて記憶されている前記提供可能サービス識別情報が、当該移動局装置へ現時点にて提供されているアプリケーション・サービスを識別するための提供中サービス識別情報を含むか否かを判定することにより、当該ハンドオーバ先の基地局装置を介した当該移動局装置への当該アプリケーション・サービスの提供を継続可能であるか否かを判定するサービス提供継続判定手段を実現させるためのプログラム。
【産業上の利用可能性】
【０１０８】
本発明は、移動局装置へアプリケーション・サービスを提供する移動体通信システム等に適用可能である。
【符号の説明】
【０１０９】
１      移動体通信システム
１０，…  移動局装置
２０    アプリケーション・サーバ
２１    提供可能サービス識別情報記憶部
２２    アプリケーション・サービス情報処理部
３０    ＩＭＳコアシステム
３１    セッション確立部
４０    コアネットワークシステム
４１    ベアラ確立部
４２    サービス提供継続判定部
４３    ハンドオーバ処理実行制御部
５１，５２，…  基地局装置
１００  サービス提供システム
１０１  提供可能サービス識別情報記憶部
１０２  サービス提供継続判定部
１０３  ハンドオーバ処理実行制御部
ＮＷ    通信回線
【図１】
0005569160.tif 000002
【図２】
0005569160.tif 000003
【図３】
0005569160.tif 000004
【図４】
0005569160.tif 000005
【図５】
0005569160.tif 000006
【図６】
0005569160.tif 000007
【図７】
0005569160.tif 000008
【図８】
0005569160.tif 000009
【図９】
0005569160.tif 000010
【図１０】
0005569160.tif 000011
【図１１】
0005569160.tif 000012